(57)【特許請求の範囲】
【請求項１】
制動トルクを受けるガイドプレートに複数のライニング組立体が旋回自在に支持されて、前記ライニング組立体がディスクロータへ押圧されるディスクブレーキ用摩擦パッド組立て体であって、
前記ライニング組立体は、制動時に前記ディスクロータと接触する摩擦材と、前記摩擦材の裏面に固着された裏板部とを有し、かつ前記裏板部には、前記ガイドプレートに設けられたガイド孔部に旋回自在に嵌合するプレート嵌合部を備え、前記プレート嵌合部が前記ガイドプレートの裏面側から前記ガイド孔部に挿入装着され、前記ディスクロータと前記摩擦材との接触時に作用する制動トルクを前記プレート嵌合部から前記ガイドプレートに伝達し、
前記裏板部との間に間隙を開けて前記ガイドプレートに固着されたトルク受けプレートの貫通孔には、複数の前記ライニング組立体に跨って配備され、前記トルク受けプレートの裏面側に固定されたアンカープレートからの押圧力をこれらのライニング組立体に作用させる複数のリンクプレートが嵌装され、
前記リンクプレートは、前記各ライニング組立体における前記裏板部のリンク当接部に当接して前記ライニング組立体を旋回可能に支持する複数個の裏板当接曲面部と、前記アンカープレートに当接して旋回可能に支持されるアンカー当接部を備え、
前記裏板部が、前記ガイド孔部よりも大きな外径の抜け止めフランジ部を備え、
隣接する複数対の前記ライニング組立体における前記抜け止めフランジ部には、切欠き部が設けられ、
前記プレート嵌合部に嵌着されて前記ガイドプレートと前記抜け止めフランジ部との間に挟まれたばね部材は、前記切欠き部が設けられた前記抜け止めフランジ部に対応するＣ字状に形成され、前記ライニング組立体を前記トルク受けプレート側に付勢することを特徴とするディスクブレーキ用摩擦パッド組立て体。
【請求項２】
制動トルクを受けるガイドプレートに複数のライニング組立体が旋回自在に支持されて、前記ライニング組立体がディスクロータへ押圧されるディスクブレーキ用摩擦パッド組立て体であって、
前記ライニング組立体は、制動時に前記ディスクロータと接触する摩擦材と、前記摩擦材の裏面に固着された裏板部とを有し、かつ前記裏板部には、前記ガイドプレートに設けられたガイド孔部に旋回自在に嵌合するプレート嵌合部を備え、前記プレート嵌合部が前記ガイドプレートの裏面側から前記ガイド孔部に挿入装着され、前記ディスクロータと前記摩擦材との接触時に作用する制動トルクを前記プレート嵌合部から前記ガイドプレートに伝達し、
前記裏板部との間に間隙を開けて前記ガイドプレートに固着されたトルク受けプレートの貫通孔には、複数の前記ライニング組立体に跨って配備され、前記トルク受けプレートの裏面側に固定されたアンカープレートからの押圧力をこれらのライニング組立体に作用させる複数のリンクプレートが嵌装され、
前記リンクプレートは、前記各ライニング組立体における前記裏板部のリンク当接部に当接して前記ライニング組立体を旋回可能に支持する複数個の裏板当接曲面部と、前記アンカープレートに当接して旋回可能に支持されるアンカー当接部を備え、
前記リンクプレートが、前記トルク受けプレートの表面側に係合する抜け止め部を備えることを特徴とするディスクブレーキ用摩擦パッド組立て体。
【請求項３】
制動トルクを受けるガイドプレートに複数のライニング組立体が旋回自在に支持されて、前記ライニング組立体がディスクロータへ押圧されるディスクブレーキ用摩擦パッド組立て体であって、
前記ライニング組立体は、制動時に前記ディスクロータと接触する摩擦材と、前記摩擦材の裏面に固着された裏板部とを有し、かつ前記裏板部には、前記ガイドプレートに設けられたガイド孔部に旋回自在に嵌合するプレート嵌合部を備え、前記プレート嵌合部が前記ガイドプレートの裏面側から前記ガイド孔部に挿入装着され、前記ディスクロータと前記摩擦材との接触時に作用する制動トルクを前記プレート嵌合部から前記ガイドプレートに伝達し、
前記裏板部との間に間隙を開けて前記ガイドプレートに固着されたトルク受けプレートの貫通孔には、複数の前記ライニング組立体に跨って配備され、前記トルク受けプレートの裏面側に固定されたアンカープレートからの押圧力をこれらのライニング組立体に作用させる複数のリンクプレートが嵌装され、
前記リンクプレートは、前記各ライニング組立体における前記裏板部のリンク当接部に当接して前記ライニング組立体を旋回可能に支持する複数個の裏板当接曲面部と、前記アンカープレートに当接して旋回可能に支持されるアンカー当接部を備え、
前記リンクプレートが、前記各裏板部に凹設された係合溝に係合して前記各ライニング組立体が回動するのを阻止する回転防止機構を備えることを特徴とするディスクブレーキ用摩擦パッド組立て体。
【請求項４】
前記裏板部が、前記ガイド孔部よりも大きな外径の抜け止めフランジ部を備え、
隣接する複数対の前記ライニング組立体における前記抜け止めフランジ部には、切欠き部が設けられることを特徴とする請求項２又は３に記載のディスクブレーキ用摩擦パッド組立て体。
【請求項５】
前記ライニング組立体が、前記裏板部の背面側に設けられたばね部材によって前記ガイドプレート側に付勢された状態に支持されていることを特徴とする請求項２〜４の何れか１項に記載のディスクブレーキ用摩擦パッド組立て体。
【請求項６】
前記リンクプレートが、前記裏板部の係合孔に係合して前記ライニング組立体が回動するのを阻止する回転防止部を備えることを特徴とする請求項１、２、４、５の何れか１項に記載のディスクブレーキ用摩擦パッド組立て体。
【請求項７】
前記リンクプレートが、前記各裏板部に凹設された係合溝に係合して前記各ライニング組立体が回動するのを阻止する回転防止機構を備えることを特徴とする請求項１、２、４、５の何れか１項に記載のディスクブレーキ用摩擦パッド組立て体。
【発明の詳細な説明】
【技術分野】
【０００１】
本発明は、ディスクブレーキ用摩擦パッド組立て体に関する。
【背景技術】
【０００２】
制動中のブレーキライニングとブレーキディスクの接触面圧を均一化することを目的として、ブレーキライニングの摩擦部材を小サイズに分割し、その分割した複数個の各摩擦部材を互いに隙間を隔てて配列したディスクブレーキが知られている（例えば特許文献１参照）。
図１０に示すように、このディスクブレーキは、ブレーキディスク５０１と、ブレーキライニング５０３と、を備える。ブレーキディスク５０１はドーナツ形円盤状であり、図示しない車輪または車軸にボルトなどによって取り付けられ、強固に固定される。ブレーキライニング５０３は、ブレーキキャリパ（図示略）によってブレーキディスク５０１の摺動面５０５に押し付けられる。これにより、ブレーキディスク５０１とブレーキライニング５０３との間に摺動による摩擦が生じ、制動力が発生する。
【０００３】
ブレーキライニング５０３は、複数個の摩擦部材５０７と、裏金５０９と、ばね部材５１１と、これらの全てを保持する基板５１３と、から構成される。各摩擦部材５０７は、裏金５０９とともに、個々の中心部の小孔５１５を挿通するリベット５１７によって基板５１３に取り付けられている。ここで、各摩擦部材５０７は、個々の裏面側の裏金５０９と基板５１３との間にそれぞればね部材５１１が配設されている。これにより、個々に弾性的に支持された状態になっている。ばね部材５１１は、基板５１３の表面側に凹設されたばね収容凹部５１９に収容される。
【０００４】
このような構成のブレーキライニング５０３を備えたディスクブレーキによれば、各摩擦部材５０７が個々にばね部材５１１を介しリベット５１７によって基板５１３に取り付けられる。これにより、各摩擦部材５０７は、個々に弾性支持された状態になっているので、個々に可動するようになる。このため、制動中のブレーキライニング５０３とブレーキディスク５０１の接触面圧を均一化することができる。
【先行技術文献】
【特許文献】
【０００５】
【特許文献１】特開２０１２−２５１５９７号公報
【発明の概要】
【発明が解決しようとする課題】
【０００６】
しかしながら、上記した従来のディスクブレーキは、裏金５０９と基板５１３との間に、ばね部材５１１が配設されるため、ばね収容凹部５１９が基板５１３の厚み方向に形成されている。このため、裏金５０９の背面から基板５１３の背面までの厚みが厚くなるとともに、基板重量が増える。
また、上記ディスクブレーキは、摩擦部材５０７がばね部材５１１（皿ばね）により弾性支持されるため、非制動時はばね部材５１１の反発力が摩擦部材５０７を組み付けるリベット５１７に直接入力される。このため、摩擦部材５０７の脱落が懸念される。また、制動時の摩擦熱によるばね部材５１１のばね定数のへたりが懸念される。
【０００７】
本発明は上記状況に鑑みてなされたもので、その目的は、薄厚化及び軽量化を実現できるディスクブレーキ用摩擦パッド組立て体を提供することにある。
【課題を解決するための手段】
【０００８】
本発明に係る上記目的は、下記構成により達成される。
（１）  制動トルクを受けるガイドプレートに複数のライニング組立体が旋回自在に支持されて、前記ライニング組立体がディスクロータへ押圧されるディスクブレーキ用摩擦パッド組立て体であって、
前記ライニング組立体は、制動時に前記ディスクロータと接触する摩擦材と、前記摩擦材の裏面に固着された裏板部とを有し、かつ前記裏板部には、前記ガイドプレートに設けられたガイド孔部に旋回自在に嵌合するプレート嵌合部を備え、前記プレート嵌合部が前記ガイドプレートの裏面側から前記ガイド孔部に挿入装着され、前記ディスクロータと前記摩擦材との接触時に作用する制動トルクを前記プレート嵌合部から前記ガイドプレートに伝達し、
前記裏板部との間に間隙を開けて前記ガイドプレートに固着されたトルク受けプレートの貫通孔には、複数の前記ライニング組立体に跨って配備され、前記トルク受けプレートの裏面側に固定されたアンカープレートからの押圧力をこれらのライニング組立体に作用させる複数のリンクプレートが嵌装され、
前記リンクプレートは、前記各ライニング組立体における前記裏板部のリンク当接部に当接して前記ライニング組立体を旋回可能に支持する複数個の裏板当接曲面部と、前記アンカープレートに当接して旋回可能に支持されるアンカー当接部とを備え、
前記裏板部が、前記ガイド孔部よりも大きな外径の抜け止めフランジ部を備え、
隣接する複数対の前記ライニング組立体における前記抜け止めフランジ部には、切欠き部が設けられ、
前記プレート嵌合部に嵌着されて前記ガイドプレートと前記抜け止めフランジ部との間に挟まれたばね部材は、前記切欠き部が設けられた前記抜け止めフランジ部に対応するＣ字状に形成され、前記ライニング組立体を前記トルク受けプレート側に付勢する
ことを特徴とするディスクブレーキ用摩擦パッド組立て体。
（２）  制動トルクを受けるガイドプレートに複数のライニング組立体が旋回自在に支持されて、前記ライニング組立体がディスクロータへ押圧されるディスクブレーキ用摩擦パッド組立て体であって、
前記ライニング組立体は、制動時に前記ディスクロータと接触する摩擦材と、前記摩擦材の裏面に固着された裏板部とを有し、かつ前記裏板部には、前記ガイドプレートに設けられたガイド孔部に旋回自在に嵌合するプレート嵌合部を備え、前記プレート嵌合部が前記ガイドプレートの裏面側から前記ガイド孔部に挿入装着され、前記ディスクロータと前記摩擦材との接触時に作用する制動トルクを前記プレート嵌合部から前記ガイドプレートに伝達し、
前記裏板部との間に間隙を開けて前記ガイドプレートに固着されたトルク受けプレートの貫通孔には、複数の前記ライニング組立体に跨って配備され、前記トルク受けプレートの裏面側に固定されたアンカープレートからの押圧力をこれらのライニング組立体に作用させる複数のリンクプレートが嵌装され、
前記リンクプレートは、前記各ライニング組立体における前記裏板部のリンク当接部に当接して前記ライニング組立体を旋回可能に支持する複数個の裏板当接曲面部と、前記アンカープレートに当接して旋回可能に支持されるアンカー当接部を備え、
前記リンクプレートが、前記トルク受けプレートの表面側に係合する抜け止め部を備えることを特徴とするディスクブレーキ用摩擦パッド組立て体。
（３）  制動トルクを受けるガイドプレートに複数のライニング組立体が旋回自在に支持されて、前記ライニング組立体がディスクロータへ押圧されるディスクブレーキ用摩擦パッド組立て体であって、
前記ライニング組立体は、制動時に前記ディスクロータと接触する摩擦材と、前記摩擦材の裏面に固着された裏板部とを有し、かつ前記裏板部には、前記ガイドプレートに設けられたガイド孔部に旋回自在に嵌合するプレート嵌合部を備え、前記プレート嵌合部が前記ガイドプレートの裏面側から前記ガイド孔部に挿入装着され、前記ディスクロータと前記摩擦材との接触時に作用する制動トルクを前記プレート嵌合部から前記ガイドプレートに伝達し、
前記裏板部との間に間隙を開けて前記ガイドプレートに固着されたトルク受けプレートの貫通孔には、複数の前記ライニング組立体に跨って配備され、前記トルク受けプレートの裏面側に固定されたアンカープレートからの押圧力をこれらのライニング組立体に作用させる複数のリンクプレートが嵌装され、
前記リンクプレートは、前記各ライニング組立体における前記裏板部のリンク当接部に当接して前記ライニング組立体を旋回可能に支持する複数個の裏板当接曲面部と、前記アンカープレートに当接して旋回可能に支持されるアンカー当接部を備え、
前記リンクプレートが、前記各裏板部に凹設された係合溝に係合して前記各ライニング組立体が回動するのを阻止する回転防止機構を備えることを特徴とするディスクブレーキ用摩擦パッド組立て体。
（４）  前記裏板部が、前記ガイド孔部よりも大きな外径の抜け止めフランジ部を備え、
隣接する複数対の前記ライニング組立体における前記抜け止めフランジ部には、切欠き部が設けられることを特徴とする上記（２）又は（３）に記載のディスクブレーキ用摩擦パッド組立て体。
（５）  前記ライニング組立体が、前記裏板部の背面側に設けられたばね部材によって前記ガイドプレート側に付勢された状態に支持されていることを特徴とする上記（２）〜（４）の何れか１つに記載のディスクブレーキ用摩擦パッド組立て体。
（６）  前記リンクプレートが、前記裏板部の係合孔に係合して前記ライニング組立体が回動するのを阻止する回転防止部を備えることを特徴とする上記（１）、（２）、（４）、（５）の何れか１つに記載のディスクブレーキ用摩擦パッド組立て体。
（７）  前記リンクプレートが、前記各裏板部に凹設された係合溝に係合して前記各ライニング組立体が回動するのを阻止する回転防止機構を備えることを特徴とする上記（１）、（２）、（４）、（５）の何れか１つに記載のディスクブレーキ用摩擦パッド組立て体。
【０００９】
上記（１）〜（３）の構成のディスクブレーキ用摩擦パッド組立て体によれば、トルク受けプレートは、リンクプレートを内方に配置する貫通孔を有する。すなわち、リンクプレートは、貫通孔に配置されることで、トルク受けプレートを介在させずに直接にアンカープレートに当接される。これにより、ディスクブレーキ用摩擦パッド組立て体は、トルク受けプレートの厚み分、薄厚化が実現される。また、貫通孔の穿設によって不要となった肉厚分、軽量化が可能となる。
また、リンクプレートは、突出するアンカー当接部によってアンカープレートに当接する。リンクプレートは、アンカープレートのディスクロータ側への移動により、各ライニング組立体をディスクロータに接触させる。この際、リンクプレートは、アンカー当接部を中心に旋回が可能となる。また、各ライニング組立体は、リンクプレートの裏板当接曲面部に、リンク当接部が当接して旋回が可能となる。これにより、各ライニング組立体は、それぞれ個別の旋回動作でディスクロータ表面のうねりに追従して、ディスクロータ表面に接触する。その結果、各ライニング組立体は、接触面圧を均一化して、安定した制動特性を維持できる。
【００１１】
上記（４）の構成のディスクブレーキ用摩擦パッド組立て体によれば、ライニング組立体は、ライニング組立体の裏板部に設けられる抜け止めフランジ部が、ガイドプレートのガイド孔部周縁に当接してガイドプレートからディスクロータ側への抜けが阻止される。また、ガイドプレートには、ライニング組立体に応じ複数のガイド孔部が穿設されている。そこで、各ライニング組立体は、各ガイド孔部に取り付けられることで、抜け方向と反対側のガイドプレート裏面で、抜け止めフランジ部同士が接近する。切欠き部は、この接近位置において、各抜け止めフランジ部に配置される。即ち、切欠き部は、円弧状の抜け止めフランジ部を弦で切除して形成されるので、抜け止めフランジ部の半径を小さくすることができる。従って、ライニング組立体同士は、接近位置において、離間距離を小さくすることが可能となる。
【００１３】
上記（１）の構成のディスクブレーキ用摩擦パッド組立て体によれば、複数個のライニング組立体を平面状に敷き並べた形態であるが、ライニング組立体の抜け止めフランジ部とガイドプレートとの間に挟まれるように配置されたばね部材が、ライニング組立体の厚さ方向の寸法公差を吸収するため、ディスクロータに対する各ライニング組立体の接触性にばらつきが生じることを防止できる。また、ばね部材は、切欠き部が設けられた抜け止めフランジ部に対応するＣ字状に形成されるので、隣接するばね部材同士が干渉することもない。
従って、ディスクブレーキ用摩擦パッド組立て体は、ライニング組立体の厚さ方向の寸法公差の影響を受けずに、安定した制動特性を維持することができる。
【００１５】
上記（５）の構成のディスクブレーキ用摩擦パッド組立て体によれば、ロータ面の熱変形による差異や、ライニング厚の差異による夫々のライニング組立体に作用する荷重差が、ライニングの過負荷現象となることを緩和できる。
【００１７】
上記（２）の構成のディスクブレーキ用摩擦パッド組立て体によれば、リンクプレートは、抜け止め部がトルク受けプレートの表面側に係合することで、貫通孔からアンカープレート側への抜けが阻止される。これにより、制動時に押付け力によりリンクプレートが変形した際、抜け止め部がトルク受けプレートの表面側に当接し、リンクプレートの過度の変形が防止されるので、リンクプレートの破損を防止できる。
また、上記（２）の構成のディスクブレーキ用摩擦パッド組立て体は、リンクプレートが貫通孔からアンカープレート側への抜けが阻止されるので、アンカープレートが取り付けられていない組立過程であっても、トルク受けプレートからリンクプレートが背面側へ抜け落ちることがない。これにより、ディスクブレーキ用摩擦パッド組立て体は、組み付け性が良好となる。
【００１９】
上記（６）の構成のディスクブレーキ用摩擦パッド組立て体によれば、リンクプレートに形成された回転防止部は、ライニング組立体の裏板部に形成された係合孔に挿入されることで、貫通孔内でのライニング組立体の回転を阻止する。これにより、ディスクブレーキ用摩擦パッド組立て体は、ディスクロータにライニング組立体が接触したとき、ライニング組立体のディスクロータ面に平行な面内での回転が防止される。
その結果、ディスクブレーキ用摩擦パッド組立て体は、制動トルクの伝達効率を高めることができる。また、ディスクブレーキ用摩擦パッド組立て体は、リンクプレートに回転防止部を形成するので、ライニング組立体の回転を防止する独立した専用部品を追加する必要がなく、部品が増加しない。そのため、部品の増加に起因したコストアップや組み立て工程数の増加による生産性の低下といった不都合の発生を回避できる。
【００２１】
上記（３）の構成のディスクブレーキ用摩擦パッド組立て体によれば、複数のライニング組立体に跨るリンクプレートが、各ライニング組立体に跨って係合溝に配置される。その結果、リンクプレートは、裏板部の係合溝に対向する部分に回転防止機構が構成される。回転防止機構は、裏板部の係合溝に係合することで貫通孔内でのライニング組立体の回転を阻止する。これにより、ディスクブレーキ用摩擦パッド組立て体は、ディスクロータにライニング組立体が接触したとき、ライニング組立体のディスクロータ面に平行な面内での回転が防止される。
その結果、ディスクブレーキ用摩擦パッド組立て体は、制動トルクの伝達効率を高めることができる。また、ディスクブレーキ用摩擦パッド組立て体は、各裏板部に係合溝が凹設されるので、ライニング組立体の回転を防止する独立した専用部品を追加する必要がなく、部品が増加しない。そのため、部品の増加に起因したコストアップや組み立て工程数の増加による生産性の低下といった不都合の発生を回避できる。
【発明の効果】
【００２２】
本発明に係るディスクブレーキ用摩擦パッド組立て体によれば、薄厚化及び軽量化を実現できる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】本発明の第１実施形態に係るディスクブレーキ用摩擦パッド組立て体の分解斜視図である。
【図２】図１に示したディスクブレーキ用摩擦パッド組立て体をガイドプレート側から見た正面図である。
【図３】（ａ）は図１に示したディスクブレーキ用摩擦パッド組立て体の側面図、（ｂ）はアンカープレート側から見た背面図である。
【図４】図１に示したリンクプレートの拡大図である。
【図５】図２のＢ−Ｂ断面図である。
【図６】図５の要部拡大図である。
【図７】本発明の第２実施形態に係るディスクブレーキ用摩擦パッド組立て体の分解斜視図である。
【図８】図７に示したディスクブレーキ用摩擦パッド組立て体のリンクプレート横断方向の断面図である。
【図９】図９に示したリンクプレートの拡大図である。
【図１０】（ａ）は従来の一般的な鉄道車両用ディスクブレーキにおけるブレーキライニングの平面図、（ｂ）は一組の摩擦部材の拡大平面図、（ｃ）は（ａ）のＡ−Ａ断面図である。
【発明を実施するための形態】
【００２５】
以下、本発明に係る実施形態を図面を参照して説明する。
図１〜図３に示すように、本発明の第１実施形態に係るディスクブレーキ用摩擦パッド組立て体１１は、鉄道車両用ディスクブレーキ装置に使用されるもので、車軸上のディスクロータに対峙して配置される。ディスクブレーキ用摩擦パッド組立て体１１は、車体フレームに固定されたブレーキキャリパに内蔵のアクチュエータによって、ディスクロータに向かって進退駆動される。
【００２６】
本実施形態に係るディスクブレーキ用摩擦パッド組立て体１１は、ライニング組立体１３と、ガイドプレート１５と、トルク受けプレート１７と、アンカープレート１９と、リンクプレート２１と、を有する。
【００２７】
ライニング組立体１３は、略円板状に成型された摩擦材２３と、この摩擦材２３の裏面に固着された裏板部２５とから構成されている。裏板部２５には、プレート嵌合部２７と、抜け止めフランジ部２９と、リンク当接部３１(図５参照)と、が形成される。プレート嵌合部２７は、ガイドプレート１５に貫通形成された円形のガイド孔部３３に、外周面が旋回自在に嵌合する。プレート嵌合部２７には、Ｃ字状の板ばね(ばね部材)３５が嵌着される。板ばね３５の外径は、ガイド孔部３３よりも大きく設定されている。抜け止めフランジ部２９は、ガイドプレート１５のガイド孔部３３よりも大きな外径で形成され、ライニング組立体１３のディスクロータ側への抜けを阻止する。リンク当接部３１は、図５に示すように、曲面形状の凹面構造で形成され、リンクプレート２１の裏板当接曲面部３７に当接する。
【００２８】
各ライニング組立体１３は、プレート嵌合部２７に嵌着された板ばね３５がガイドプレート１５と抜け止めフランジ部２９との間に挟まれるように、ガイドプレート１５の裏面側からガイド孔部３３に挿入装着される。各ライニング組立体１３は、ディスクロータと摩擦材２３との接触時に作用する制動トルクを、プレート嵌合部２７からガイドプレート１５に伝達する。
【００２９】
ライニング組立体１３の裏板部２５は、ガイド孔部３３よりも大きな外径の抜け止めフランジ部２９が形成される。隣接する複数対のライニング組立体１３における抜け止めフランジ部２９には、切欠き部３９が設けられる。切欠き部３９は、抜け止めフランジ部２９の円周を弦で切除した形状で形成される。
【００３０】
ガイドプレート１５は、ガイド孔部３３が所定の離間間隔で複数（本実施形態では１０箇所）形成されていて、各ガイド孔部３３にライニング組立体１３が装着される。ガイドプレート１５は、トルク受けプレート１７のディスクロータ側に突設されたスペーサ部４１が当接することにより、トルク受けプレート１７と裏板部２５との間に、各リンクプレート２１を配置する間隙であるリンク収容空間４３を画成する。リンク収容空間４３を挟んで重ねられたガイドプレート１５とトルク受けプレート１７は、これらを貫通したリベット４５による締結によって、一体の筐体構造に形成される。
【００３１】
トルク受けプレート１７は、裏面に、アンカープレート１９がリベット４７により固定装備される。トルク受けプレート１７は、各リンクプレート２１に応じ複数の貫通孔４９が形成される。
【００３２】
アンカープレート１９は、トルク受けプレート１７の裏面に固定され、ブレーキキャリパに内蔵されたアクチュエータに連結される。アンカープレート１９には、トルク受けプレート１７の貫通孔４９に嵌装された各リンクプレート２１のアンカー当接部５１が当接する（図５参照）。これにより、ライニング組立体１３は、ディスクロータへの進退駆動が可能になる。
【００３３】
リンクプレート２１とアンカープレート１９の間には、アンカー当接部５１以外の部分で、アンカー当接部５１の突出分の隙間が形成される。この隙間は、リンクプレート２１の旋回を許容する。ディスクブレーキ用摩擦パッド組立て体１１を押圧する押圧力は、アンカープレート１９から、リンクプレート２１のアンカー当接部５１を介してリンクプレート２１に伝達される。リンクプレート２１に伝達された押圧力は、リンクプレート２１の裏板当接曲面部３７と裏板部２５のリンク当接部３１とを介してライニング組立体１３に作用する。
【００３４】
各リンクプレート２１は、複数のライニング組立体１３に跨って配備されて、アンカープレート１９からの押圧力をこれらのライニング組立体１３に作用させる。本第１実施形態において、リンクプレート２１は、図４に示すように、長手方向両端側が、半円形状となる短冊状に形成されている。本第１実施形態において、各リンクプレート２１は、長手方向の両側で２つのライニング組立体１３に当接している。リンクプレート２１は、当接するライニング組立体１３の数に応じた複数の裏板当接曲面部３７を有する。裏板当接曲面部３７は、曲面形状の凸面構造で形成される。裏板当接曲面部３７は、各ライニング組立体１３における裏板部２５のリンク当接部３１に当接する。これにより、リンクプレート２１は、各ライニング組立体１３を旋回可能に支持する。
【００３５】
なお、リンクプレートは、３つ以上のライニング組立体１３に跨るものであってもよい。この場合、リンクプレートは、各先端側がライニング組立体１３に当接する例えばＹ字形状で形成することができる。
【００３６】
リンクプレート２１は、ライニング組立体１３と反対側の面に、アンカー当接部５１が突設される。アンカー当接部５１は、リンクプレート２１の略重心位置に対応するように単一で形成される。アンカー当接部５１は、アンカープレート１９に当接して、リンクプレート２１を旋回可能に支持する。
【００３７】
図４及び図６に示すように、リンクプレート２１は、長手方向両端に、一対の脚板部５３を有する。脚板部５３は、リンクプレート２１の長手方向両端から長手方向に沿って延出し、リンク収容空間４３側に階段状に曲げられている。この脚板部５３のトルク受けプレート１７に対向する面は、抜け止め部５５となっている。抜け止め部５５は、トルク受けプレート１７の表面側に係合する。トルク受けプレート１７の表面側とは、トルク受けプレート１７のリンク収容空間４３に臨む側の面である。これにより、リンクプレート２１は、リンク収容空間４３からトルク受けプレート１７の貫通孔４９を通じてアンカープレート側への抜けが規制される。
【００３８】
リンクプレート２１は、脚板部５３の裏板部側に曲げられた部分が、回転防止部５７となる。回転防止部５７は、裏板部２５に形成される係合孔５９に係合する。回転防止部５７は、係合孔５９に係合することで、ライニング組立体１３が回動するのを阻止する。
【００３９】
なお、本実施形態では、リンクプレート２１に一対の脚板部５３を突設し、この脚板部５３に抜け止め部５５と回転防止部５７とを形成したが、本発明に係るディスクブレーキ用摩擦パッド組立て体は、抜け止め部５５と回転防止部５７とを、それぞれ別個にリンクプレート２１に形成してもよい。
【００４０】
次に、上記構成のディスクブレーキ用摩擦パッド組立て体１１の作用を説明する。
本第１実施形態に係るディスクブレーキ用摩擦パッド組立て体１１では、ライニング組立体１３は、摩擦材２３が、ディスクロータの摺動面に摺接する。ライニング組立体１３は、摩擦材２３の背面の裏板部２５が、リンクプレート２１の裏板当接曲面部３７に当接する。リンクプレート２１は、裏板当接曲面部３７と反対側のアンカー当接部５１が、アンカープレート１９に当接する。アンカープレート１９は、トルク受けプレート１７に固定される。トルク受けプレート１７は、リンクプレート２１を内方に配置する貫通孔４９を有する。すなわち、リンクプレート２１は、貫通孔４９に配置されることで、トルク受けプレート１７を介在させずに直接にアンカープレート１９に当接される。これにより、ディスクブレーキ用摩擦パッド組立て体１１は、トルク受けプレート１７の厚み分、薄厚化が実現されている。また、貫通孔４９の穿設によって不要となった肉厚分、軽量化が可能となる。
【００４１】
一方、貫通孔４９が形成されたディスクブレーキ用摩擦パッド組立て体１１は、従来の貫通孔４９が形成されないディスクブレーキ用摩擦パッド組立て体と同一厚とした場合、不要となったトルク受けプレート１７の厚み分、リンクプレート２１を厚くすることができる。その場合、摩擦熱によるリンクプレート２１のヘタリ（剛性不足）を抑制できる。また、リンクプレート２１の支持がアンカープレート１９で直接に行われることで、支持部（アンカープレート側）の剛性を、トルク受けプレート１７を介する場合に比べ、高く保つことが可能となる。
【００４２】
また、リンクプレート２１は、突出するアンカー当接部５１によってアンカープレート１９に当接する。リンクプレート２１は、アンカープレート１９のディスクロータ側への移動により、各ライニング組立体１３をディスクロータに接触させる。この際、リンクプレート２１は、アンカー当接部５１を中心に旋回が可能となる。また、各ライニング組立体１３は、リンクプレート２１の裏板当接曲面部３７に、リンク当接部３１が当接して旋回が可能となる。これにより、各ライニング組立体１３は、それぞれ個別の旋回動作でディスクロータ表面のうねりに追従して、ディスクロータ表面に接触する。その結果、各ライニング組立体１３は、接触面圧を均一化して、安定した制動特性を維持できる。
【００４３】
そして、本第１実施形態のディスクブレーキ用摩擦パッド組立て体１１では、ライニング組立体１３は、ライニング組立体１３の裏板部２５に設けられる抜け止めフランジ部２９が、ガイドプレート１５のガイド孔部周縁に当接してガイドプレート１５からディスクロータ側への抜けが阻止される。また、ガイドプレート１５には、ライニング組立体１３に応じ複数のガイド孔部３３が穿設されている。そこで、各ライニング組立体１３は、各ガイド孔部３３に取り付けられることで、抜け方向と反対側のガイドプレート裏面で、抜け止めフランジ部２９同士が接近する。切欠き部３９は、この接近位置において、各抜け止めフランジ部２９に配置される。即ち、切欠き部３９は、円弧状の抜け止めフランジ部２９を弦で切除して形成されるので、抜け止めフランジ部２９の半径を小さくすることができる。従って、ライニング組立体１３同士は、接近位置において、離間距離を小さくすることが可能となる。
【００４４】
また、本第１実施形態のディスクブレーキ用摩擦パッド組立て体１１では、複数個のライニング組立体１３を平面状に敷き並べた形態であるが、ライニング組立体１３の抜け止めフランジ部２９とガイドプレート１５との間に挟まれるように配置された板ばね部材３５が、ライニング組立体１３の厚さ方向の寸法公差を吸収するため、ディスクロータに対する各ライニング組立体１３の接触性にばらつきが生じることを防止できる。また、板ばね部材３５は、切欠き部３９が設けられた抜け止めフランジ部２９に対応するＣ字状に形成されるので、隣接する板ばね部材３５同士が干渉することもない。
従って、ディスクブレーキ用摩擦パッド組立て体１１は、ライニング組立体１３の厚さ方向の寸法公差の影響を受けずに、安定した制動特性を維持することができる。
【００４５】
更に、本第１実施形態のディスクブレーキ用摩擦パッド組立て体１１では、リンクプレート２１は、抜け止め部５５がトルク受けプレート１７の表面側に係合することで、貫通孔４９からアンカープレート１９側への抜けが阻止される。これにより、制動時に押付け力によりリンクプレート２１が変形した際、抜け止め部５５がトルク受けプレート１７の表面側に当接し、リンクプレート２１の過度の変形が防止されるので、リンクプレート２１の破損を防止できる。
また、ディスクブレーキ用摩擦パッド組立て体１１は、リンクプレート２１が貫通孔４９からアンカープレート１９側への抜けが阻止されるので、アンカープレート１９が取り付けられていない組立過程であっても、トルク受けプレート１７からリンクプレート２１が背面側へ抜け落ちることがない。これにより、ディスクブレーキ用摩擦パッド組立て体１１は、組み付け性が良好となる。
【００４６】
また、本第１実施形態のディスクブレーキ用摩擦パッド組立て体１１では、リンクプレート２１に形成された回転防止部５７は、ライニング組立体１３の裏板部２５に形成された係合孔５９に挿入されることで、ガイド孔部３３内でのライニング組立体１３の回転を阻止する。これにより、ディスクブレーキ用摩擦パッド組立て体１１は、ディスクロータにライニング組立体１３が接触したとき、ライニング組立体１３のディスクロータ面に平行な面内での回転が防止される。
【００４７】
その結果、ディスクブレーキ用摩擦パッド組立て体１１は、制動トルクの伝達効率を高めることができる。また、ディスクブレーキ用摩擦パッド組立て体１１は、リンクプレート２１に回転防止部５７を形成するので、ライニング組立体１３の回転を防止する独立した専用部品を追加する必要がなく、部品が増加しない。そのため、部品の増加に起因したコストアップや組み立て工程数の増加による生産性の低下といった不都合の発生を回避できる。
【００４８】
本第１実施形態のディスクブレーキ用摩擦パッド組立て体１１において、ガイドプレート１５は、ライニング組立体１３から制動トルクを受ける部材となる。リンクプレート２１は、ライニング組立体１３へ押圧力を作用させる部材となる。つまり、制動トルクを受ける部材と、押圧力を作用させる部材とが、別部材となっている。このため、押圧力を作用させるライニング組立体１３とリンクプレート２１との接触部（リンク当接部３１，裏板当接曲面部３７）や、リンクプレート２１とアンカープレート１９との接触部（アンカー当接部）には、大きい負荷となる制動トルクが作用しないように構成されている。
【００４９】
また、ディスクブレーキ用摩擦パッド組立て体１１において、ライニング組立体１３の摩擦材２３がディスクロータを押圧した時の反力は、通常範囲の大きさの場合、裏板部２５のリンク当接部３１、リンクプレート２１の裏板当接曲面部３７を経て、リンクプレート２１で受け止められる。しかし、過大な反力がディスクロータから入力された場合には、プレス加工によって製作されているリンクプレート２１が、裏板部２５とアンカープレート１９との間で旋回可能な隙間を埋めるように変形し、アンカープレート１９に強く当接する。
【００５０】
このため、リンクプレート２１は、裏板当接曲面部３７の近傍、アンカー当接部５１の近傍、抜け止め部５５のそれぞれをトルク受けプレート１７やアンカープレート１９に接触させて、過大な反力を伝達すると同時に、リンクプレート２１自体の破損が防止される。
その結果、押圧力を伝達する各接触部は、制動トルクを受け止める玉継手等の堅牢な係合にする必要がなく、加工精度の緩和によるコストの節減、生産性の向上を実現することができる。
【００５１】
次に、本発明に係るディスクブレーキ用摩擦パッド組立て体の第２実施形態を説明する。なお、上記第１実施形態の構成と同等の構成には、同一の符号を付し、重複する説明は省略する。
図７及び図８に示すように、本発明の第２実施形態に係るディスクブレーキ用摩擦パッド組立て体６１は、リンクプレート６３が、各裏板部６５に凹設された係合溝６７に係合して各ライニング組立体６９が回動するのを阻止する回転防止機構７１を備える。係合溝６７は、ライニング組立体６９の裏板部６５の半径方向に沿って凹設される。なお、本第２実施形態において、裏板部６５には、ばね収容凹部７３が凹設される。係合溝６７は、このばね収容凹部７３の周壁の一部分を切り欠いて形成される。
【００５２】
図９に示すように、リンクプレート６３は、脚板部７５を有する。脚板部７５は、半円板状に形成される。この脚板部７５のトルク受けプレート１７に対向する面は、抜け止め部７７となっている。抜け止め部７７は、トルク受けプレート１７の表面側に係合する。これにより、リンクプレート６３は、リンク収容空間４３からトルク受けプレート１７の貫通孔４９を通じてアンカープレート１９側への抜けが規制される。
【００５３】
ガイド孔部３３に挿入装着されたライニング組立体６９は、リンクプレート６３に対向する裏板部２５の背面と各リンクプレート６３の正面との間に圧縮状態で装着される弾性部材（ばね部材）７９によって、ガイドプレート１５側に付勢された状態に支持される。
【００５４】
弾性部材７９は、円環状に形成されて外径がばね収容凹部７３の内径よりも小さく設定されている。ばね収容凹部７３に収容された弾性部材７９は、リンクプレート６３に当接して、圧縮状態にされる。
この弾性部材７９は、リンクプレート６３に突設された裏板当接曲面部３７の高さより低い高さを有すると共に０．３〜０．８Ｎ／ｍｍ／ｍｍ2のばね定数を有することが望ましい。
【００５５】
弾性部材７９は、ガイドプレート１５に固着されたトルク受けプレート１７の表面側に配設固定されたリンクプレート６３と裏板部６５との間に挟まれた圧縮状態では、抜け止めフランジ部２９がガイド孔部３３の周縁部に当接した状態に維持されるように、ライニング組立体６９をガイドプレート１５側に付勢する。この際、弾性部材７９は、許容撓み量の０〜６０％の範囲で裏板部６５の背面とトルク受けプレート１７の表面との間に装着される。
【００５６】
弾性部材７９がこのように設定されることで、ディスクロータの摺動面の熱変形による差異や、ライニング厚の差異による各ライニング組立体６９に作用する荷重差が、ライニングの過負荷現象となることを緩和できる。
【００５７】
次に、上記構成の本第２実施形態に係るディスクブレーキ用摩擦パッド組立て体６１の作用を説明する。
本第２実施形態に係るディスクブレーキ用摩擦パッド組立て体６１では、リンクプレート６３が、複数のライニング組立体６９に跨る。それぞれのライニング組立体６９の裏板部６５には、係合溝６７が凹設される。例えばリンクプレート６３が２つのライニング組立体６９に跨る場合、リンクプレート６３は、各ライニング組立体６９に跨って係合溝６７に配置される。その結果、リンクプレート６３は、裏板部６５の係合溝６７に対向する部分に回転防止機構７１が構成される。リンクプレート６３の回転防止機構７１は、裏板部６５の係合溝６７に係合することで貫通孔内でのライニング組立体６９の回転を阻止する。これにより、ディスクブレーキ用摩擦パッド組立て体６１は、ディスクロータにライニング組立体６９が接触したとき、ライニング組立体６９のディスクロータ面に平行な面内での回転が防止される。
【００５８】
その結果、ディスクブレーキ用摩擦パッド組立て体６１は、制動トルクの伝達効率を高めることができる。また、ディスクブレーキ用摩擦パッド組立て体６１は、各裏板部６５に係合溝６７が凹設されるので、ライニング組立体６９の回転を防止する独立した専用部品を追加する必要がなく、部品が増加しない。そのため、部品の増加に起因したコストアップや組み立て工程数の増加による生産性の低下といった不都合の発生を回避できる。
【００５９】
また、本第２実施形態のディスクブレーキ用摩擦パッド組立て体６１では、ライニング組立体６９が、裏板部６５の背面側に設けられた弾性部材７９によってガイドプレート１５側に付勢された状態に支持されている。そこで、ロータ面の熱変形による差異や、ライニング厚の差異による夫々のライニング組立体６９に作用する荷重差が、ライニングの過負荷現象となることを緩和できる。
【００６０】
従って、上記実施形態に係るディスクブレーキ用摩擦パッド組立て体１１及び６１によれば、薄厚化及び軽量化を実現できる。
【００６１】
ここで、上述した本発明に係るディスクブレーキ用摩擦パッド組立て体の実施形態の特徴をそれぞれ以下に簡潔に纏めて列記する。
［１］  制動トルクを受けるガイドプレート（１５）に複数のライニング組立体（１３）が旋回自在に支持されて、前記ライニング組立体（１３）がディスクロータへ押圧されるディスクブレーキ用摩擦パッド組立て体（１１）であって、
前記ライニング組立体（１３）は、
制動時に前記ディスクロータと接触する摩擦材（２３）と、前記摩擦材（２３）の裏面に固着された裏板部（２５）とを有し、かつ前記裏板部（２５）には、前記ガイドプレート（１５）に設けられたガイド孔部（３３）に旋回自在に嵌合するプレート嵌合部（２７）を備え、
前記プレート嵌合部（２７）が前記ガイドプレート（１５）の裏面側から前記ガイド孔部（３３）に挿入装着され、前記ディスクロータと前記摩擦材（２３）との接触時に作用する制動トルクを前記プレート嵌合部（２７）から前記ガイドプレート（１５）に伝達し、
前記裏板部（２５）との間に間隙を開けて前記ガイドプレート（１５）に固着されたトルク受けプレート（１７）の貫通孔（４９）には、複数の前記ライニング組立体（１３）に跨って配備され、前記トルク受けプレート（１７）の裏面側に固定されたアンカープレート（１９）からの押圧力をこれらのライニング組立体（１３）に作用させる複数のリンクプレート（２１）が嵌装され、
前記リンクプレート（２１）は、前記各ライニング組立体（１３）における前記裏板部（２５）のリンク当接部（３１）に当接して前記ライニング組立体（１３）を旋回可能に支持する複数個の裏板当接曲面部（３７）と、前記アンカープレート（１９）に当接して旋回可能に支持されるアンカー当接部（５１）とを備えることを特徴とするディスクブレーキ用摩擦パッド組立て体（１１）。
［２］  前記裏板部（２５）が、前記ガイド孔部（３３）よりも大きな外径の抜け止めフランジ部（２９）を備え、
隣接する複数対の前記ライニング組立体（１３）における前記抜け止めフランジ部（２９）には、切欠き部（３９）が設けられることを特徴とする上記［１］に記載のディスクブレーキ用摩擦パッド組立て体（１１）。
［３］  前記プレート嵌合部（２７）に嵌着されて前記ガイドプレート（１５）と前記抜け止めフランジ部（２９）との間に挟まれたばね部材（板ばね３５）は、前記切欠き部（３９）が設けられた前記抜け止めフランジ部（２９）に対応するＣ字状に形成され、前記ライニング組立体（１３）を前記トルク受けプレート（１７）側に付勢することを特徴とする上記［２］に記載のディスクブレーキ用摩擦パッド組立て体（１１）。
［４］  前記ライニング組立体（６９）が、前記裏板部（６５）の背面側に設けられたばね部材（弾性部材７９）によって前記ガイドプレート（１５）側に付勢された状態に支持されていることを特徴とする上記［１］又は［２］に記載のディスクブレーキ用摩擦パッド組立て体（６１）。
［５］  前記リンクプレート（２１）が、前記トルク受けプレート（１７）の表面側に係合する抜け止め部（５５）を備えることを特徴とする上記［１］〜［４］の何れか１つのディスクブレーキ用摩擦パッド組立て体（１１）。
［６］  前記リンクプレート（２１）が、前記裏板部（２５）の係合孔（５９）に係合して前記ライニング組立体（１３）が回動するのを阻止する回転防止部（５７）を備えることを特徴とする上記［１］〜［５］の何れか１つのディスクブレーキ用摩擦パッド組立て体（１１）。
［７］  前記リンクプレート（６３）が、前記各裏板部（６５）に凹設された係合溝（６７）に係合して前記各ライニング組立体（６９）が回動するのを阻止する回転防止機構（７１）を備えることを特徴とする［１］〜［５］の何れか１つのディスクブレーキ用摩擦パッド組立て体（６１）。
【００６２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００６３】
１１…ディスクブレーキ用摩擦パッド組立て体
１３…ライニング組立体
１５…ガイドプレート
１７…トルク受けプレート
１９…アンカープレート
２１…リンクプレート
２３…摩擦材
２５…裏板部
２７…プレート嵌合部
２９…抜け止めフランジ部
３１…リンク当接部
３３…ガイド孔部
３７…裏板当接曲面部
３９…切欠き部
４３…リンク収容空間（間隙）
４９…貫通孔
５１…アンカー当接部
５５…抜け止め部
５７…回転防止部
５９…係合孔
【図１】
0006434795.tif 000002
【図２】
0006434795.tif 000003
【図３】
0006434795.tif 000004
【図４】
0006434795.tif 000005
【図５】
0006434795.tif 000006
【図６】
0006434795.tif 000007
【図７】
0006434795.tif 000008
【図８】
0006434795.tif 000009
【図９】
0006434795.tif 000010
【図１０】
0006434795.tif 000011